(57)【特許請求の範囲】
【請求項１】
前後両面が開口された断熱箱からなる本体内には、断熱性の単位仕切壁を複数個上下方向に並べた仕切壁が設けられることでその左右両側に温蔵室と冷蔵室とが形成され、前記本体内の前半部分と後半部分においてそれぞれ、横幅方向の途中に境界部を設けたトレイが、同境界部を上下の単位仕切壁の間を貫通して挿入されることで前記温蔵室と前記冷蔵室とに亘って収容されるようにした温冷蔵装置であって、
前記単位仕切壁は下面開放のケースを有し、同ケースが前記トレイの境界部を通過可能な間隔を開けて上下に並んで配設され、
各ケースの前半部分と後半部分とには、それぞれ前記温蔵室と前記冷蔵室との間を仕切る仕切体が、また両仕切体の間には、挿入されたトレイの境界部の挿入方向の先端部を当てるストッパ体が、同ケースの下面開口を通して昇降可能に収容され、
かつ前記両仕切体と前記ストッパ体とはそれぞれ、その下側の単位仕切壁のケースの上面に弾性付勢力で押圧されているとともに、それぞれの下面に前記トレイの境界部が進入した場合に前記弾性付勢力に抗して上動して前記トレイの境界部の通過を許容するようになっており、
さらに前記仕切体には、前記ストッパ体の上動時にこのストッパ体と係合して前記仕切体を上動可能とする係合部が設けられていることを特徴とする温冷蔵装置。
【請求項２】
前記係合部が、前記仕切体における前記ストッパ体と隣接した端部からこのストッパ体の上方に突出した係合板により構成されていることを特徴とする請求項１記載の温冷蔵装置。
【請求項３】
前記ストッパ体には、前記仕切体の上動時にこの仕切体と係合して前記ストッパ体を上動可能とする作動部が設けられていることを特徴とする請求項１または請求項２記載の温冷蔵装置。
【発明の詳細な説明】
【０００１】
【発明の属する技術分野】
本発明は、いわゆるパススルー型の温冷蔵装置に関する。
【０００２】
【従来の技術】
この種のパススルー型の温冷配膳車の一例として、以下のようなものが知られている。このものは、前後両面が開口された断熱箱からなる本体内に、断熱性の単位仕切壁を複数個積み上げた仕切壁が設けられることでその左右両側に温蔵室と冷蔵室とが形成されるとともに、各単位仕切壁には、その前後の領域に一対の仕切体と、両仕切体の間にストッパ体とが、それぞれ昇降可能にかつ下側の単位仕切壁に対して弾性的に押圧付勢されて設けられた構造となっている。
【０００３】
そして常には、温食と冷食とを分けて載せたトレイが、前または後の開口から前または後の仕切体を付勢力に抗して押し上げつつ、その下の単位仕切壁との間を貫通して挿入され、前または後の領域で温蔵室と冷蔵室とに亘って収容されることによって、温食は保温状態に、冷食は保冷状態にそれぞれ貯蔵される。
また、必要に応じては、トレイをさらに押し込むことによって、ストッパ体とそれに続いて前後反対側の仕切体をそれぞれ付勢力に抗して押し上げつつ、前後反対側の領域の温蔵室と冷蔵室とに移動して収容することができるようになっている。
なお、このようなパススルー機能は、トレイを温蔵室と冷蔵室の前後の領域に収容するに当たって、本体の前面側のみから、後側の領域、続いて前側の領域と、順次に収容できる等の利便性を有している。
【０００４】
【発明が解決しようとする課題】
ところで、上記したトレイをパススルーする場合、図１９に示すように、トレイ１の奥側が持ち上げられた状態で押し込まれる場合があり得る。そうすると、ストッパ体２は持ち上げ得たとしても、トレイ１の奥縁が奥側の仕切体３の端面に突き当たってスムーズな移動が阻害されるばかりでなく、仕切体３の破損を招くおそれがあった。
尤も、同図の鎖線に示すように、仕切体３の底部の角４のＲを大きく形成すれば、それがガイドとなって仕切体３が持ち上げられつつトレイ１の移動が許容されるかも知れないが、Ｒが大きくなればそれだけ隙間面積が大きくなるため、温蔵室と冷蔵室との間の断熱を考慮すると芳しくない。
本発明は上記のような事情に基づいて完成されたものであって、その目的は、隙間を広げることなくトレイのスムーズな移動を担保するところにある。
【０００５】
【課題を解決するための手段】
上記の目的を達成するための手段として、請求項１の発明は、前後両面が開口された断熱箱からなる本体内には、断熱性の単位仕切壁を複数個上下方向に並べた仕切壁が設けられることでその左右両側に温蔵室と冷蔵室とが形成され、前記本体内の前半部分と後半部分においてそれぞれ、横幅方向の途中に境界部を設けたトレイが、同境界部を上下の単位仕切壁の間を貫通して挿入されることで前記温蔵室と前記冷蔵室とに亘って収容されるようにした温冷蔵装置であって、前記単位仕切壁は下面開放のケースを有し、同ケースが前記トレイの境界部を通過可能な間隔を開けて上下に並んで配設され、各ケースの前半部分と後半部分とには、それぞれ前記温蔵室と前記冷蔵室との間を仕切る仕切体が、また両仕切体の間には、挿入されたトレイの境界部の挿入方向の先端部を当てるストッパ体が、同ケースの下面開口を通して昇降可能に収容され、かつ前記両仕切体と前記ストッパ体とはそれぞれ、その下側の単位仕切壁のケースの上面に弾性付勢力で押圧されているとともに、それぞれの下面に前記トレイの境界部が進入した場合に前記弾性付勢力に抗して上動して前記トレイの境界部の通過を許容するようになっており、さらに前記仕切体には、前記ストッパ体の上動時にこのストッパ体と係合して前記仕切体を上動可能とする係合部が設けられているところに特徴を有する。
【０００６】
請求項２の発明は、請求項１に記載のものにおいて、前記係合部が、前記仕切体における前記ストッパ体と隣接した端部からこのストッパ体の上方に突出した係合板により構成されているところに特徴を有する。
請求項３の発明は、請求項１または請求項２に記載のものにおいて、前記ストッパ体には、前記仕切体の上動時にこの仕切体と係合して前記ストッパ体を上動可能とする作動部が設けられているところに特徴を有する。
【０００７】
【発明の作用及び効果】
＜請求項１の発明＞
トレイを前後いずれかの領域から反対側の領域に移動させるに当たり、仮にトレイの奥縁が持ち上げられた状態で押し込まれたとしても、ストッパ体さえ上動すれば係合部を介して奥側の仕切体が持ち上げられ、トレイは奥側の仕切体の端面に突き当たることなくその下面に潜り込みつつ移動する。
トレイのパススルーをスムーズに行うことができる。また、少なくとも仕切体の端面の角部には必要以上に大きなガイド部を削成する必要がなく、すなわち温蔵室と冷蔵室との間の隙間を最小限に留めることができて、良好に断熱機能を果たすことができる。
【０００８】
＜請求項２の発明＞
ストッパ体が上動すると、係合板が押されて仕切体におけるストッパ体と隣接した端部側が上動し、トレイのスムーズな通過が許容される。
また、仕切体を単位仕切壁内に装着するに当たって、長さ方向に方向性がある場合に、係合板を目印として方向性の適否を判断することができる。
＜請求項３の発明＞
トレイの奥縁が持ち上げられた状態で押し込まれた場合、まず手前の仕切体が押し上げられることで作動部を介してストッパ体が上動され、それに伴い係合部を介して奥側の仕切体が持ち上げられ、トレイはストッパ体並びに奥側の仕切体の下面に潜り込みつつスムーズに移動する。
トレイのパススルーをよりスムーズに行うことができるとともに、ストッパ体に削成するガイド部も小さく留めることができて、それだけ温蔵室と冷蔵室との間の隙間を小さくすることができる。
【０００９】
【発明の実施の形態】
以下、本発明を温冷配膳車に適用した実施形態を添付図面に基づいて説明する。
＜第１実施形態＞
本発明の第１実施形態を図１ないし図１６によって説明する。
本実施形態の温冷配膳車は、図１及び図２に示すように、全体として矩形箱状をなす貯蔵室本体１０（以下、単に本体という）を備えており、詳細には前後両面が開放された形状で、天井壁、底壁並びに左右の側壁内に発泡ウレタン等の断熱材を充填した断熱箱体として構成されている。本体１０の底面にはキャスタ１１が装備されて移動可能となっているとともに、上面には機械室１２が設けられている。
【００１０】
本体１０の前面と後面の開口部における幅方向の中央部には、それぞれ縦フレーム１３が立てられているとともに、本体１０内にもその幅方向の中央部に中間壁１４が設けられ、内部が左右２室に分けられている。さらに左右の２室では、その幅方向の中央部よりも少し中間壁１４側に寄った位置に、詳しくは後記する断熱性の仕切壁１５が設けられている。これにより、仕切壁１５の外側に温蔵室１６が、仕切壁１５の内側に温蔵室１６よりも少し間口の狭い冷蔵室１７が、それぞれ２つずつ構成されている。
言い換えると、隣り合った温蔵室１６と冷蔵室１７の組が左右方向に２組形成され、さらにこれが前後に分けられて、合計４つの温蔵室１６と冷蔵室１７の組が構成されている。各温蔵室１６と冷蔵室１７の組には、それぞれ図示しない扉が観音開き式に装備されている。
【００１１】
上記の中間壁１４は、冷気流通用の前後２本のダクト１８を間隔を開けて配することにより構成され、各ダクト１８の左右両面には、複数段の領域に分かれてそれぞれ通気口群１９が形成されている。機械室１２内では、両ダクト１８並びに一方の冷蔵室１７の天井面の開口を覆うようにして冷却器室２１が画成され、その中に、圧縮機２２、凝縮器２３等とともに冷凍サイクルを構成する冷却器と庫内ファン（ともに図示せず）が設置されている。このため、冷凍サイクルが運転されるとともに庫内ファンが駆動されると、冷却器近傍で生成された冷気が各ダクト１８内に吹き込まれて、通気口群１９を通して左右の冷蔵室１７に吹き出され、そののち一方の冷蔵室１７の天井側から冷却器室２１内に導かれるといった循環流を生じ、もって左右の冷蔵室１７が冷却されるようになっている。
一方、温蔵室１６における仕切壁１５とは反対側の側面には、ヒータパネル２５が張られている。このヒータパネル２５の裏面側には、機械室１２に装備された温蔵ユニット２６から引き出されたコードヒータが全面にわたって配線されており、主にヒータパネル２５からの輻射熱により温蔵室１６内が加熱されるようになっている。
【００１２】
トレイ２８は、合成樹脂等で横長の矩形状に形成され、横幅の中央部よりも少し一側に寄った位置に境界部２８Ａが設けられて、境界部２８Ａを挟んだ広い方に温かい状態で供される食品が、狭い方に冷たい状態で供される食品がそれぞれ載置される。このトレイ２８は、後記するように境界部２８Ａが仕切壁１５に貫通され、その両端の下面が、温蔵室１６のヒータパネル２５側、並びに冷蔵室１７のダクト１８側に設けられた一対のトレイ受け６４で受けられつつ押し込まれて、前後両面から収容されるようになっている。
【００１３】
続いて、仕切壁１５の構造を説明する。仕切壁１５は、基台３０上に複数個の単位仕切壁３１を積み上げて形成されている。基台３０は、例えば金属製の芯体に合成樹脂製の外殻体を被せた構造であって、断熱性を保有しており、ブラケット等により内装底板に固定されている。
単位仕切壁３１は大まかには、図４に示すように、ケース３２と、前後一対の仕切体４０と、ストッパ体５０とから構成されている。ケース３２は、合成樹脂材の押し出し成形等により形成されており、図７及び図８に示すように、上端側を山形に尖らせた縦長断面の中空状に形成され、本体１０内のほぼ奥行寸法に匹敵する長さを有している。
【００１４】
ケース３２の底部側の内部には、２枚の横板が張られることにより、仕切体４０を収容する上部収容室３３と、ストッパ体５０を収容する下部収容室３４が形成され、上部収容室３３が下部収容室３４のほぼ倍の高さを有している。上部収容室３３と下部収容室３４の各底壁には、それぞれ幅方向の中央部において全長に亘る同幅の摺動案内溝３５，３６が切られており、下部収容室３４の摺動案内溝３６の溝縁には、ガイド壁３７が立ち上がり形成されている。
【００１５】
仕切体４０は同じく合成樹脂製であって、単位仕切壁３１の下端側に前後一対が装着されている。仕切体４０は詳細には、図４、図６及び図７に示すように、上記したガイド壁３７を含む両摺動案内溝３５，３６に摺動可能に嵌合する幅を持ち、単位仕切壁３１の長さの半分弱の長さを持った上面開放の箱状に形成されている。その内部の底部側には、格子状にリブ４１が形成されて補強されている。
仕切体４０の上面の左右両側縁にはフランジ４２が形成され、それぞれの長さ方向の中央を挟んだ前後両側には、対をなす支持部４３と受け部４４とが張り出し形成されている。支持部４３からは、円弧状をなすばね板４５が受け部４４側に向けて片持ち状に一体形成され、ばね板４５の先端が受け部４４の上方に臨んでいる。
【００１６】
仕切体４０は、フランジ４２並びにばね板４５を上部収容室３３に入れて上下の摺動案内溝３５，３６に亘って嵌められ、ケース３２の前または後の開口から挿入される。なお、前後の仕切体４０は、ばね板４５の先端同士が対向した対称姿勢で挿入される。このとき、ばね板４５が上部収容室３３の天井面に当たって弾性変形した状態で収容されることにより、仕切体４０はばね板４５の復元弾力で常には下向きに押圧付勢されており、図７に示すように、フランジ４２並びに支持部４３、受け部４４が上側の摺動案内溝３５の溝縁に係止されることで下動が規制され、下端がケース３２の下面から一定長さ突出した状態で保持されている。仕切体４０の下端の突出長さは、後記するように単位仕切壁３１が積み上げ状に配設された場合に、上下のケース３２の間の間隔にほぼ匹敵する長さである。
この仕切体４０は、ばね板４５をさらに弾性変形させつつ、ガイド壁３７を含む両摺動案内溝３５，３６に沿って上動可能である。また、仕切体４０の下面の前後両側の角には、丸みの付けられたガイド部４６が形成されている（図１０参照）。
【００１７】
前後の仕切体４０は、図４に示すように、ケース３２内における長さ方向の中央部に所定の隙間を開けて収容され、この隙間部分に、ストッパ体５０が装着されている。このストッパ体５０も同様に合成樹脂製であって、図５及び図８に詳細に示すように、ガイド壁３７を含む下側の摺動案内溝３６に摺動可能に嵌合する幅を持ち、かつ、長さ方向には上記の隙間寸法に匹敵する短寸の上面開放の箱状に形成されている。内部には、十字形にリブ５１が形成されて補強されている。
ストッパ体５０の上面の左右両側縁には、前後方向を向いた細長い一対の補助ばね板５３が、その長さ方向の中央部を連結させて一体的に張り出し形成されている。両補助ばね板５３の両端部には、それぞれ一段高くなった当接部５４が形成されている。
【００１８】
ストッパ体５０は、補助ばね板５３を下部収容室３４に入れてガイド壁３７並びに下側の摺動案内溝３６に嵌められ、ケース３２の前または後の開口から挿入される。ストッパ体５０は、補助ばね板５３の両端の当接部５４が下部収容室３４の天井面に当たった状態で収容されて、補助ばね板５３の弾力により下動付勢されており、図８に示すように、補助ばね板５３との連結部５５がガイド壁３７の上端に係止されることで下動が規制されている。ストッパ体５０は、仕切体４０と同寸法だけケース３２の下面から突出した状態で保持されている。
ストッパ体５０は、補助ばね板５３をさらに弾性変形させつつ、ガイド壁３７並びに下側の摺動案内溝３６に沿って上動可能である。このストッパ体５０における下面の前後両側の角には、仕切体４０側のそれよりも大きい丸みの付けられたガイド部５６が形成されている（図１０参照）。
【００１９】
さて、ストッパ体５０には、図５及び図１０に示すように、その前後の端面の上縁から突壁５７が立ち上がり形成されている。この突壁５７は、上側の摺動案内溝３５よりも幅狭で、両突壁５７間には上記したリブ５１から延出された補強板５８が亘されて補強されている。一方、仕切体４０におけるストッパ体５０と隣接する側の端部には、図６及び図１０に詳細に示すように、その上縁から係合板４８が、前後方向の外側に向けて突出形成されている。
したがって、仕切体４０とストッパ体５０とが正規に装着された場合、図１０に示すように、各仕切体４０の係合板４８は、ストッパ体５０の対応する突壁５７の上方に突出するようになっている。またその際、係合板４８と突壁５７の突出端との間隔Ｓが、トレイ２８における境界部２８Ａの肉厚とほぼ等しい寸法を採る設定となっている。
【００２０】
なお、各ケース３２の前後の開口にはカバー６０が装着され、それらのカバー６０の表面には、扉との間でマグネットキャッチを構成する磁性板６１が張られている。
上記のような単位仕切壁３１は、図３に示すように、その左右両面に一対の支持アーム６３が突設され、両支持アーム６３の突出端に左右一対のトレイ受け６４が設けられることでユニット化されている。
このようにユニット化された単位仕切壁３１は、例えば冷蔵室１７側のトレイ受け６４に設けられた取付板６５Ａを、ダクト１８である取付壁面に設けられた支持具６６に嵌め、温蔵室１６側のトレイ受け６４に設けられた取付板６５Ｂを、ヒータパネル２５である取付壁面にねじ６７で止めることによって、下段側から順次に積み上げられるようにして組み付けられる。最後に、最上段の単位仕切壁３１が組み付けられる。
【００２１】
すべての単位仕切壁３１が組み付けられたら、各単位仕切壁３１における前後の仕切体４０並びにストッパ体５０は、ばね板４５，５３の弾力によってその下側の単位仕切壁３１の上面に当接した状態となる。なお、最下段の単位仕切壁３１の仕切体４０とストッパ体５０は、基台３０の上面に当接する。これにより、対をなす温蔵室１６と冷蔵室１７との間を断熱状に遮断する仕切壁１５が構築される。
それとともに、対をなす温蔵室１６と冷蔵室１７における仕切壁１５とは反対側の壁面に沿って、左右一対のトレイ受け６４が複数段にわたって配設された状態となる。なお、最下段では、ユニット化されていないトレイ受け６４が準備されて、両室１６，１７の取付壁面に直接に取り付けられる。
【００２２】
本実施形態は上記のような構造であって、続いてその作用について説明する。配膳車に給食を収容する場合は、対をなす温蔵室１６と冷蔵室１７の扉を開放したのち、図１１に示すように、温食と冷食とを盛ったトレイ２８を、境界部２８Ａを単位仕切壁３１に装着された仕切体４０のガイド部４６に当てるようにして押し込む。そうすると、図１２に示すように、仕切体４０がばね板４５の弾力に抗して持ち上げられつつ、境界部２８Ａが仕切体４０とその下の単位仕切壁３１の上面との間に割って入り、またトレイ２８の両側縁がトレイ受け６４に乗り上げて滑りつつ押し込まれ、トレイ２８の奥端がストッパ体５０に当たることで収容が完了する。このとき、仕切体４０がトレイ２８の境界部２８Ａに押し付けられているので、温蔵室１６と冷蔵室１７の間は断熱状態に保たれる。
トレイ２８上に盛られた温食は温蔵室１６内に収容されて温蔵され、一方、冷食は冷蔵室１７内に収容されて冷蔵される。
【００２３】
また、トレイ２８を前面側から、対をなす温蔵室１６と冷蔵室１７の後面側の領域に入れる、あるいはその逆を行う、いわゆるパススルーの形態で使用することもできる。この場合は例えば、上記した要領でトレイ２８を対をなす温蔵室１６と冷蔵室１７の前面側の領域に収容したのち、さらにトレイ２８を押し込むと、図１３に示すように、境界部２８Ａがストッパ体５０のガイド部５６に押し付けられて、ストッパ体５０が補助ばね板５３の弾力に抗して持ち上げられつつ境界部２８Ａが割って入り、続いて奥側の仕切体４０がばね板４５の弾力に抗して持ち上げられつつ同境界部２８Ａが割って入り、ストッパ体５０を通過したところで、トレイ２８が対をなす温蔵室１６と冷蔵室１７の後面側に移動して収容される。
【００２４】
このとき、図１４に示すように、トレイ２８の奥側が持ち上げられた状態で押し込まれる場合があり得る。トレイ２８の奥縁がストッパ体５０の下に既に潜り込んでいれば、補助ばね板５３の弾力に抗してストッパ体５０がさらに持ち上げられる。ストッパ体５０に当たる前にトレイ２８の奥側が持ち上げられたとしても、ストッパ体５０のガイド部５６は、大きな丸みで形成されているから、持ち上げられた境界部２８Ａがストッパ体５０のガイド部５６に押し付けられつつその下に潜り込んで、同様にストッパ体５０を持ち上げる。
【００２５】
このようにストッパ体５０が上動すると、図１５に詳細に示すように、奥側の突壁５７が、奥側の仕切体４０の係合板４８を押し上げ、これに伴い、奥側の仕切体４０の手前の端部が持ち上げられる。これにより、ストッパ体５０の下面を通ったトレイ２８の境界部２８Ａは、奥側の仕切体４０の端面に突き当たることなくガイド部４６に押し付けられ、奥側の仕切体４０がばね板４５の弾力に抗してさらに持ち上げられつつ同境界部２８Ａがその下面に潜り込み、トレイ２８が対をなす温蔵室１６と冷蔵室１７の後面側に移動して収容される。
【００２６】
本実施形態によれば、トレイ２８のパススルーを行うに際して、仮にトレイ２８の奥縁が持ち上げられた状態で押し込まれたとしても、ストッパ体５０さえ上動すれば係合板４８を介して奥側の仕切体４０が持ち上げられ、トレイ２８は奥側の仕切体４０の端面に突き当たることなくガイド部４６で案内されつつその下面に潜り込んで移動することができる。すなわち、トレイ２８のパススルーをスムーズに行うことができる。また、仕切体４０の底部の角には、トレイ２８の持ち上がり状態を吸収するために、大きなガイド部を削成する必要がなく、したがって温蔵室１６と冷蔵室１７との間の隙間を最小限に留めることができて、良好に断熱機能を果たすことができる。
【００２７】
なお両仕切体４０は、ケース３２内に収容される場合に、互いに対称姿勢を取るようにいわゆる方向性がある。このとき、例えば仕切体４０の向きを前後間違えて挿入すると、図１６の右側に示すように、間違えた方の仕切体４０の係合板４８が、ケース３２の端面から突出し、挿入方向が違っていることが判別できる。
すなわち、仕切体４０に設けられた係合板４８を、仕切体４０を収容する場合の向きの適否に利用することができる。
【００２８】
＜第２実施形態＞
本発明の第２実施形態を図１７及び図１８によって説明する。
この第２実施形態では、ストッパ体５０Ａの上部側に、水平方向を向いた作動板７０が形成されている。一方、仕切体４０Ａにおけるストッパ体５０Ａと隣接する側の端部には、その上縁と、そこから所定寸法下がった位置において、上部係合板７２と下部係合板７３とが突設されている。
仕切体４０Ａとストッパ体５０Ａとが正規に装着された場合、図１７（Ａ）の左側に示すように、仕切体４０Ａの両係合板７２，７３は、作動板７０を上下に挟むように突出し、その際、作動板７０と上下の係合板７２，７３とのそれぞれの間隔が、トレイ２８における境界部２８Ａの肉厚とほぼ等しい寸法を採る設定となっている。
【００２９】
第２実施形態の作用は以下のようである。トレイ２８をパススルーする場合、トレイ２８が正規の水平姿勢で押し込まれると、図１７（Ａ）に示すように、境界部２８Ａがストッパ体５０Ａのガイド部５６に押し付けられて、同図（Ｂ）に示すように、ストッパ体５０Ａが持ち上げられつつ境界部２８Ａが割って入り、続いて奥側の仕切体４０Ａのガイド部４６に境界部２８Ａが押し付けられることで、同仕切体４０Ａが持ち上げられつつ境界部２８Ａが割って入り、トレイ２８が対をなす温蔵室１６と冷蔵室１７の反対側の領域に移動する。
【００３０】
一方、パススルーする際に、ストッパ体５０Ａに当たる前にトレイ２８の奥側が持ち上げられ、しかも相当量持ち上げられると、大きく丸みを付けてあるにも拘わらず、トレイ２８の境界部２８Ａはガイド部５６に当たらずにその上のストッパ体５０Ａの端面に当たって、それ以上の押し込みが規制される場合があり得る。
この実施形態では、トレイ２８の奥側が持ち上げられると、図１８（Ａ）に示すように、それに伴って持ち上げられた手前の仕切体４０Ａの下部係合板７３が作動板７０を押し上げることでストッパ体５０Ａも一緒に持ち上げられる。これにより、押し込まれたトレイ２８の境界部２８Ａは、ストッパ体５０Ａのガイド部５６に押し付けられることになって、同図（Ｂ）に示すように、ストッパ体５０Ａが持ち上げられつつ境界部２８Ａがその下に潜り込む。
【００３１】
このようにストッパ体５０Ａが上動すると、作動板７０が、奥側の仕切体４０Ａの上部係合板７２を押し上げ、これに伴い、奥側の仕切体４０Ａの手前の端部が持ち上げられる。これにより、ストッパ体５０Ａの下面を通ったトレイ２８の境界部２８Ａは、奥側の仕切体４０Ａの端面に突き当たることなくガイド部４６に押し付けられ、奥側の仕切体４０Ａがさらに持ち上げられつつ同境界部２８Ａがその下面に潜り込み、トレイ２８が対をなす温蔵室１６と冷蔵室１７の反対側の領域に移動する。
すなわち、この第２実施形態では、トレイ２８が相当量持ち上げられたとしても、パススルーをスムーズに行うことができる。また、ストッパ体５０Ａの角部に削成するガイド部５６も小さく留めることができて、それだけ温蔵室１６と冷蔵室１７との間の隙間を小さくすることができ、両室１６，１７間の断熱を図る上でより好適となる。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）単位仕切壁において、仕切体やストッパ体は、別体に設けられたばね部材によって下動付勢されていてもよい。
（２）本発明は、仕切壁を挟んだ両側に温蔵室と冷蔵室とを設け、かつパススルー型とした温冷蔵装置全般に広く適用することができる。
【図面の簡単な説明】
【図１】  本発明の一実施形態に係る温冷配膳車の扉を外した正面図
【図２】  温冷配膳車の内部構造を示す斜視図
【図３】  トレイ受けをユニットとして備えた単位仕切壁の正面図
【図４】  仕切壁の一部切欠部分側面図
【図５】  仕切体とストッパ体の斜視図
【図６】  仕切体の拡大斜視図
【図７】  仕切体の装着部分における単位仕切壁の断面図
【図８】  ストッパ体の装着部分における単位仕切壁の断面図
【図９】  単位仕切壁の内部構造を示す断面図
【図１０】  ストッパ体の配設部分付近の拡大側断面図
【図１１】  トレイの挿入初めの状態を示す側面図
【図１２】  トレイの収容動作を示す一部切欠側面図
【図１３】  トレイのパススルー動作を示す一部切欠側面図
【図１４】  トレイの奥側が持ち上げられた状態を示す一部切欠側面図
【図１５】  その部分拡大図
【図１６】  仕切体の誤挿入が判別された状態を示す概略側面図
【図１７】  第２実施形態に係るトレイが正規姿勢でパススルーされる場合を示す断面図
【図１８】  そのトレイの奥側が持ち上げられてパススルーされる場合を示す断面図
【図１９】  従来例の部分側断面図
【符号の説明】
１０…貯蔵室本体  １５…仕切壁  １６…温蔵室  １７…冷蔵室  ２８…トレイ  ２８Ａ…境界部  ３１…単位仕切壁  ３２…ケース  ４０…仕切体  ４５…ばね板  ４６…ガイド部  ４８…係合板（係合部）  ５０…ストッパ体  ５３…補助ばね板  ５６…ガイド部  ５７…突壁  ４０Ａ…仕切体  ５０Ａ…ストッパ体  ７０…作動板（作動部）  ７２…上部係合板  ７３…下部係合板
【図１】
0004011965.tif 000002
【図２】
0004011965.tif 000003
【図３】
0004011965.tif 000004
【図４】
0004011965.tif 000005
【図５】
0004011965.tif 000006
【図６】
0004011965.tif 000007
【図７】
0004011965.tif 000008
【図８】
0004011965.tif 000009
【図９】
0004011965.tif 000010
【図１０】
0004011965.tif 000011
【図１１】
0004011965.tif 000012
【図１２】
0004011965.tif 000013
【図１３】
0004011965.tif 000014
【図１４】
0004011965.tif 000015
【図１５】
0004011965.tif 000016
【図１６】
0004011965.tif 000017
【図１７】
0004011965.tif 000018
【図１８】
0004011965.tif 000019
【図１９】
0004011965.tif 000020